(57)【特許請求の範囲】
【請求項１】
上方に開口した箱状のランドセル本体と、
前記ランドセル本体の後面側に設けられる左右の肩ベルトと、
前記ランドセル本体の前面側に設けられる収納部と、
前記ランドセル本体の後面側上端に繋がって設けられ、可撓性を有する平板状に形成されて前記ランドセル本体の開口および前記収納部を含む前面側を開閉可能に覆う蓋部材と、
前記ランドセル本体の左右側面および前面側に延びて設けられる帯状の前締ベルトと、
ランドセルの持ち主の氏名等の情報を表示する情報表示部材とを備え、
前記情報表示部材は、ケース部材と、前記ケース部材の内部に収容可能でランドセルの持ち主の氏名等の情報を記載可能な情報記載部材と、前記ケース部材に設けられた帯状の取付ベルトとを有して構成され、
前記取付ベルトはその先端部および基端部に互いに結合可能なボタンを備え、
前記収納部の内部にリング状の取付金具が設けられ、前記取付ベルトを前記取付金具に通して前記先端部および前記基端部のボタンを結合させて前記情報表示部材を前記取付金具に装着可能で、前記ボタンの結合を解除して前記取付ベルトを前記取付金具から外して前記情報表示部材を前記収納部の内部から取り外すことが可能であり、
前記取付ベルトを前記前締ベルトの内側を通して前記先端部および前記基端部のボタンを結合させて前記情報表示部材を前記前締ベルトに装着可能で、前記ボタンの結合を解除して前記取付ベルトを前記前締ベルトから外して前記情報表示部材を前記前締ベルトから取り外すことが可能であり、
前記肩ベルトにリング状の吊り金具が設けられ、前記取付ベルトを前記吊り金具に通して前記先端部および前記基端部のボタンを結合させて前記情報表示部材を前記肩ベルトに装着可能で、前記ボタンの結合を解除して前記取付ベルトを前記吊り金具から外して前記情報表示部材を前記肩ベルトから取り外すことが可能であることを特徴とするランドセル。
【請求項２】
前記ケース部材は、前記情報記載部材とともに電車等の乗車ＩＣカードを内部に収容可能な寸法に形成されることを特徴とする請求項１に記載のランドセル。
【発明の詳細な説明】
【技術分野】
【０００１】
本発明は、ランドセルに関する。
【背景技術】
【０００２】
ランドセルは、一方に開口した箱状のランドセル本体と、このランドセル本体の開口を覆う蓋部材と、蓋部材の先端部をランドセル本体に係止保持する錠前装置と、ランドセル本体を背負うための肩ひもとを備えて構成されている。このようなランドセルでは、従来、蓋部材を開けたときに露出するランドセル本体の前面部に前段ポケットが設けられており、その前段ポケットの前面部に、ランドセルの持ち主の氏名や学校名等の個人情報を表示する情報表示部（ネーム窓）が設けられている（例えば、特許文献１〜３を参照）。
【先行技術文献】
【特許文献】
【０００３】
【特許文献１】特開２０１５‐６２３３号公報
【特許文献２】実用新案登録第３１４４５８６号
【特許文献３】実用新案登録第３１２３１８２号
【発明の概要】
【発明が解決しようとする課題】
【０００４】
ところで、近年、個人情報を保護するという考えが高まってきている。そのため、従来のようにランドセル本体（前段ポケット）の前面部に情報表示部が設けられていると、ランドセルの持ち主の氏名や学校名等の個人情報を簡単に見ることができるため、個人情報の保護という観点から好ましくないという問題がある。
【０００５】
本発明はこのような課題に鑑みてなされたものであり、氏名や学校名等の個人情報を簡単に知られることを防ぐことができるランドセルを提供することを目的とする。
【課題を解決するための手段】
【０００６】
上記目的を達成するため、本発明に係るランドセルは、上方に開口した箱状のランドセル本体と、前記ランドセル本体の後面側に設けられる左右の肩ベルトと、前記ランドセル本体の前面側に設けられる収納部（例えば、実施形態における前段ポケット２ｃもしくは収納ポケット２ｂ）と、前記ランドセル本体の後面側上端に繋がって設けられ、可撓性を有する平板状に形成されて前記ランドセル本体の開口および前記収納部を含む前面側を開閉可能に覆う蓋部材と、前記ランドセル本体の左右側面および前面側に延びて設けられる帯状の前締ベルトと、ランドセルの持ち主の氏名等の情報を表示する情報表示部材とを備え、前記情報表示部材は、ケース部材と、前記ケース部材の内部に収容可能でランドセルの持ち主の氏名等の情報を記載可能な情報記載部材と、前記ケース部材に設けられた帯状の取付ベルトとを有して構成され、前記取付ベルトはその先端部および基端部に互いに結合可能なボタンを備え、前記収納部の内部にリング状の取付金具が設けられ、前記取付ベルトを前記取付金具に通して前記先端部および前記基端部のボタンを結合させて前記情報表示部材を前記取付金具に装着可能で、前記ボタンの結合を解除して前記取付ベルトを前記取付金具から外して前記情報表示部材を前記収納部の内部から取り外すことが可能であり、前記取付ベルトを前記前締ベルトの内側を通して前記先端部および前記基端部のボタンを結合させて前記情報表示部材を前記前締ベルトに装着可能で、前記ボタンの結合を解除して前記取付ベルトを前記前締ベルトから外して前記情報表示部材を前記前締ベルトから取り外すことが可能であり、前記肩ベルトにリング状の吊り金具が設けられ、前記取付ベルトを前記吊り金具に通して前記先端部および前記基端部のボタンを結合させて前記情報表示部材を前記肩ベルトに装着可能で、前記ボタンの結合を解除して前記取付ベルトを前記吊り金具から外して前記情報表示部材を前記肩ベルトから取り外すことが可能である。
【０００８】
また、上記構成のランドセルにおいて、前記ケース部材は、前記情報記載部材に記載された前記情報を外方から視認可能な窓部を有して構成されることが好ましい。またこのとき、前記ケース部材は、前記情報記載部材とともに電車等の乗車ＩＣカードを内部に収容可能な寸法に形成されることが好ましい。
【発明の効果】
【０００９】
本発明に係るランドセルによれば、情報表示部材が収納部の内部に着脱可能に設けられる構成となっている。そのため、蓋部材を開けるだけでは氏名や学校名等の個人情報を見ることはできず、個人情報を簡単に知られることを防ぐことができる。従って、個人情報の保護という観点から好ましいランドセルとすることができる。
【００１０】
なお、情報表示部材が、ケース部材とケース部材内に収容される情報記載部材とを有して構成され、ケース部材が、情報記載部材に記載された情報を外方から視認可能な窓部を有し、さらに情報記載部材とともに電車等の乗車ＩＣカードを内部に収容可能な寸法に形成されると、電車やバスの乗車ＩＣカードをケース部材内に収容して情報表示部材を通学定期券入れとしても利用することができ、使い勝手のよいランドセルとすることができる。
【図面の簡単な説明】
【００１１】
【図１】本発明に係るランドセルの底面図である。
【図２】本発明に係るランドセルの側面図である。
【図３】本発明に係るランドセルの蓋部材を開けた状態の正面図である。
【図４】本発明に係るランドセルの背面図である。
【図５】本発明に係るランドセルに設けられる情報表示部材を示す図であり、（ａ）は情報表示部材を構成するケース部材の正面図、（ｂ）情報表示部材を構成する情報記載カードの正面図である。
【図６】上記ケース部材の背面図である。
【図７】図３に示すランドセルの正面図において、前段ポケットの一部を破断させて前段ポケットの内部を示した正面図である。
【発明を実施するための形態】
【００１２】
以下、図面を参照して本発明の実施形態について説明する。本発明の実施形態に係るランドセル１は、図１〜図３に示すように、教科書等を収納するための上方に開口した箱状のランドセル本体２ａ（大マチ）と、ランドセル本体２ａの上端部に取り付けられた蓋部材３（かぶせ）と、背中に背負うときに腕を通し肩へかける左右の肩ベルト４と、ランドセル本体２ａの外側底面に取り付けられた錠前装置１０とを有して構成されている。なお、本実施形態では、図１〜３に示す各矢印の方向をそれぞれ、上下方向、前後方向、左右方向として説明する。
【００１３】
ランドセル本体２ａの前面部（蓋部材３を開いたときに露出する部分）には、上方に開口してランドセル本体２ａ（大マチ）よりも小容量の箱状の収納ポケット２ｂ（小マチ）が設けられている。収納ポケット２ｂの前面部には、ファスナー２５によって開閉式の前段ポケット２ｃが設けられている。前段ポケット２ｃの内部には、後述する情報表示部材５０を取り付けるためのリング状の取付金具２７が設けられている（図７を参照）。また、前段ポケット２ｃの内部には、家の鍵等を係止するためのリング状の係止金具２８も設けられている（図７を参照）。
【００１４】
前段ポケット２ｃの上方位置には、帯状の前締ベルト２０が収納ポケット２ｂの前面部並びにランドセル本体２ａおよび収納ポケット２ｂの左右側面部にわたって設けられている。ランドセル本体２ａの左側面部に位置する前締ベルト２０には、コップ等を吊り下げることが可能な吊り金具２１（ナスカン）が設けられている。
【００１５】
ランドセル本体２ａの底面部には、錠前装置１０を取り付けるために、上下貫通した取付孔２ｈが形成されている。この取付孔２ｈは、錠前装置１０の後述する本体プレート１１の裏面から突出する機構収容壁部１１ｂの外形形状に対応する形状になっている。ランドセル本体２ａの後面部（背負ったときに背中が接する部分）の上部には、半円状の持ち
手部材２７が設けられている（図４を参照）。
【００１６】
蓋部材３は、一端部がランドセル本体２ａの上端後部に取り付けられ、ランドセル本体２ａおよび収納ポケット２ｂの上方開口を覆い、他端部がランドセル本体２ａの前面下部まで延びる平板状（可撓性を有する平板状）に形成されている。蓋部材３の他端部には、ランドセル本体２ａの底面部まで延びるＶ字形状の蓋延長部材５（ベロ）が取り付けられている。蓋延長部材５の先端部に係止金具６（サガリ）が取り付けられている。蓋部材３の他端部側内面には、当該内面を覆うようにメッシュ状のシート部材（図示せず）が取り付けられており、このシート部材と蓋部材３の内面との間に学校の時間割表等を入れてシート部材を通して時間割表等を視認できるようになっている。
【００１７】
左右の肩ベルト４はそれぞれ、ランドセル本体２ａの後面部（背当て部）の上端部に環状の上部金具（背かん）を介して取り付けられた上ベルト（図示せず）と、ランドセル本体２ａの底面部に環状の下部金具７（ダルマかん）を介して取り付けられた下ベルト４ｂとを有し、上ベルトおよび下ベルト４ｂが連結金具８により連結されるように構成されている。左右の肩ベルト４はそれぞれ、上ベルトに形成された複数の調整穴に対して連結金具８の連結位置をスライド移動させることができ、これにより肩ベルト４の長さを調整することができるようになっている。
【００１８】
錠前装置１０は、図４にも示すように、矩形平板状の本体プレート１１と、本体プレート１１の中央部に回動自在に設けられた操作部材１２とを有して構成されている。本体プレート１１の内部には、蓋延長部材５に取り付けられた係止金具６を係止保持する係止保持位置および係止解除する解除位置との間で回動可能に操作部材１２を支持する支持機構１５が設けられている。支持機構１５は、係止金具６が操作部材１２と係合するようにセットされると、この係止金具６により本体プレート１１の表面から突出した作動シャフト１５ａが押され、操作部材１２を係止保持位置（図１に示す位置）に回動させるように構成されている。本体プレート１１の裏面（上面）には、支持機構１５の本体プレート１１の裏面から突出した部分の周囲を囲む機構収容壁部１１ｂが形成されている。
【００１９】
本体プレート１１の表面（下面）には、その表面略全域にわたる凹状のプレート収容凹部が形成されており、このプレート収容凹部に、アルミニウムによって形成された平板状の装飾プレート３０が挿入され、装飾プレート３０が本体プレート１１の表面に取り付けられるようになっている。装飾プレート３０の表面は、アルマイト処理加工によって所定の色や模様が施されている。装飾プレート３０は、他の色や模様などが施された他の装飾プレートに取り替え可能になっている。
【００２０】
錠前装置１０は、本体プレート１１の裏面から突出した機構収容壁部１１ｂがランドセル本体２ａに形成された取付孔２ｈに挿入されて、機構収容壁部１１ｂをランドセル本体２ａの底面部内に入り込ませた状態で当該底面部に取り付けられる（図２を参照）。そして、装飾プレート３０および樹脂材料によって形成された円盤形状のリンプ部材３５，３５が本体プレート１１の表面に取り付けられ、左右のリンプ部材３５の表面にそれぞれ上記下部金具７，７が揺動可能に設けられた円柱形状の金具ベース部材９，９を配置し、金具ベース部材９、リンプ部材３５および本体プレート１１にそれぞれ形成された挿入孔に取付ピン１８を挿入することにより、錠前装置１０がランドセル本体２ａの底面部に取り付けられるようになっている。
【００２１】
前段ポケット２ｃの内部には、ランドセル１の持ち主の氏名等の個人情報を表示する情報表示部材５０が着脱可能に設けられている。情報表示部材５０は、図５および図６に示すように、前段ポケット２ｃの内部に着脱可能に設けられるケース部材５１と、ケース部材５１の内部に収容される情報記載カード５５とを有して構成される。情報記載カード５
５は、学校名、学年およびクラス名、並びにランドセル１の持ち主の氏名等の個人情報を表面に記載可能に構成されている。
【００２２】
ケース部材５１は、２枚の矩形状の皮革材料の四辺を縫い合わせて形成され、内部に情報記載カード５５を収容可能な空間を有するように構成されている。ケース部材５１の裏面には、左右方向に延びるスリット状の挿入口５２が形成されており、この挿入口５２から情報記載カード５５を内部に収容することが可能に構成されている。また、ケース部材５１は、情報記載カード５５とともに電車やバス等の乗車ＩＣカードも内部に収容可能な大きさ寸法に形成されている。
【００２３】
ケース部材５１の表面には、矩形状の窓部５３が貫通形成され、その窓部５３を塞ぐように樹脂材料からなる透明シート５４が設けられている。ケース部材５１は、情報記載カード５５に記載された個人情報を窓部５３および透明シート５４を通して外方から視認可能に構成されている。
【００２４】
ケース部材５１の上部には、帯状の皮革材料から帯状の取付ベルト５７が設けられている。ケース部材５１は、図７に示すように、前段ポケット２ｃの内部に設けられたリング状の取付金具２７に取付ベルト５７を通し、取付ベルト５７を折り曲げて取付ベルト５７の先端部と基端部とをボタン５８によって結合させることにより、前段ポケット２ｃの内部に着脱可能に取り付けられるようになっている。
【００２５】
以上のように構成されたランドセル１によれば、情報表示部材５０が前段ポケット２ｃの内部に着脱可能に設けられる構成となっている。そのため、蓋部材３を開けるだけでは、ランドセルの持ち主の氏名や学校名等の個人情報を見ることはできず、個人情報を簡単に知られることを防ぐことができる。従って、個人情報の保護という観点から好ましいランドセルとすることができる。また、逆にランドセルの持ち主を一目ですぐに見分けられるようにしたい場合には、情報表示部材５０を前段ポケット２ｃ内から取り外して、例えば前締ベルト２０に取り付けることが可能であり、このようにすればランドセルの持ち主をすぐに見分けられるようにすることもできる。また、肩ベルト４（上ベルト）に設けられたリング状の吊り金具（図示せず）に情報表示部材５０を取り付けることも可能である。さらに、情報表示部材５０は、ネックストラップ等に取り付けて首から下げるような使い方も可能であり、ネームホルダーとしても使用することができる。
【００２６】
また、ランドセル１によれば、従来のランドセルのように前段ポケットの前面部にネーム窓が設けられていない。従来のランドセルではネーム窓の透明シート等が破損し易いという問題があったが、ランドセル１では、ネーム窓が設けられていないため、前段ポケット２ｃ部分の耐久性向上や強度向上を図ることができる。さらに、情報表示部材５０が破損したとしても、ランドセル１ごとの修理が不要であり、新たな情報表示部材５０に取り替えるだけで使用し続けることができる。
【００２７】
また、情報表示部材５０が、ケース部材５１とケース部材５１内に収容される情報記載カード５５とを有して構成されている。そして、ケース部材５１が、情報記載カード５５に記載された情報を外方から視認可能な窓部５３を有し、さらに情報記載カード５５とともに電車等の乗車ＩＣカードを内部に収容可能な寸法に形成されている。そのため、電車やバスの乗車ＩＣカードをケース部材５１内に収容して情報表示部材５０を通学定期券入れとしても利用することができ、使い勝手のよいランドセルとすることができる。
【００２８】
なお、上記実施形態では、情報表示部材５０がケース部材５１および情報記載カード５５を有する構成について説明したが、情報表示部材は、氏名や学校名等の個人情報を表面に記載可能な一枚のプレート部材によって構成されてもよく、この情報表示プレートが前
段ポケット２ｃの内部に着脱可能に設けられるようにしてもよい。また、情報表示部材５０は、例えば折り畳み式に形成され、小物や小銭等を収納できる収納部を備える構成としてもよい。
【００２９】
また、上記実施形態では、情報表示部材５０が前段ポケット２ｃの内部に設けられる構成について説明したが、収納ポケット２ｂの内部に着脱可能に設けられるように構成されてもよい。或いは、ランドセル本体２ａの左右側面部に別のポケットを備える構成の場合には、そのポケットの内部に着脱可能に設けられるようにしてもよい。またこのとき、情報表示部材５０が紐状部材を介して前段ポケット２ｃ等の内部に着脱可能に設けられるようにしてもよい。さらに、その紐状部材を自動で巻き取る巻取機構を介して着脱可能に設けられるようにしてもよい。
【００３０】
また、上記実施形態では、情報表示部材５０が、前段ポケット２ｃの内部において取付金具２７に着脱可能な係止状態で設けられる構成について説明したが、前段ポケット２ｃの内部に内ポケットを設け、そのポケット内に情報表示部材５０を入れて当該ポケットの開口部をボタン等により閉じる構成としてもよい。
【００３１】
また、上記実施形態では、情報記載カード５５の表面に、学校名、学年およびクラス名、並びに持ち主の氏名が記載可能に構成されているが、さらに持ち主の住所や電話番号等の情報も記載可能に構成されてもよい。
【符号の説明】
【００３２】
１    ランドセル
２ａ  ランドセル本体
２ｂ  収納ポケット
２ｃ  前段ポケット
３    蓋部材
５０  情報表示部材
５１  ケース部材
５５  情報記載カード（情報記載部材）
【図１】
0006736259.tif 000002
【図２】
0006736259.tif 000003
【図３】
0006736259.tif 000004
【図４】
0006736259.tif 000005
【図５】
0006736259.tif 000006
【図６】
0006736259.tif 000007
【図７】
0006736259.tif 000008